(57)【要約】【課題】宛先に応じて効果的な広告を印刷する。【解決手段】封筒に事業体の広告を印刷する印刷装置１は、複数の事業体の各々に対応付けて、当該事業体によって提供され得る広告の内容を示すキーワードを格納しているキーワード格納部２２０と、キーワード格納部２２０において、広告の広告主として指定された事業体に対応するキーワードと、封筒に印刷する宛先として指定された事業体に対応するキーワードとが一致するか否かを判断するキーワード判断部２３０と、キーワード格納部２２０において、広告主に対応するキーワードと、宛先に対応するキーワードとが一致しない場合に、当該広告主の広告を封筒に印刷する印刷部２９０とを備える。【選択図】図２
2006159577.tif 000002
【特許請求の範囲】
【請求項１】
封筒に事業体の広告を印刷する印刷装置であって、
複数の事業体の各々に対応付けて、当該事業体によって提供され得る広告の内容を示すキーワードを格納しているキーワード格納部と、
前記キーワード格納部において、前記広告の広告主として指定された事業体に対応するキーワードと、前記封筒に印刷する宛先として指定された事業体に対応するキーワードとが一致するか否かを判断するキーワード判断部と、
前記キーワード格納部において、前記広告主に対応するキーワードと、前記宛先に対応するキーワードとが一致しない場合に、当該広告主の広告を封筒に印刷する印刷部と
を備える印刷装置。
【請求項２】
前記封筒に印刷する宛先の名称を入力する宛先入力部と、
前記宛先入力部が入力した名称に、法人を示すキーワードが含まれるか否かを判断する宛先判断部と
を更に備え、
前記キーワード判断部は、前記宛先入力部が入力した名称に法人を示すキーワードが含まれていない場合には、前記広告主に対応するキーワードと、前記宛先に対応するキーワードとが一致するか否かを判断せず、
前記印刷部は、前記宛先入力部が入力した名称に法人を示すキーワードが含まれていない場合に、前記広告主の広告を封筒に印刷する
請求項１記載の印刷装置。
【請求項３】
前記キーワード判断部は、複数の前記広告主の各々について、当該広告主に対応付けられたキーワードと、前記宛先に対応するキーワードとが一致するか否かを、前記複数の広告主の間で定められた順序に従って順次判断し、
前記印刷部は、キーワードが前記宛先に一致しないと前記キーワード判断部により最初に判断された広告主の広告を、封筒に印刷する
請求項１記載の印刷装置。
【請求項４】
前記キーワード格納部は、前記複数の事業体の各々に対応付けて、複数の前記キーワードを格納し、
前記キーワード判断部は、前記広告主に対応する複数のキーワードの各々と、前記宛先に対応する複数のキーワードの各々とを順次比較し、少なくとも何れか１つのキーワードが同一であるか、又は、何れのキーワードも異なるかを判断し、
前記印刷部は、前記広告主に対応する複数のキーワードの各々と、前記宛先に対応する複数のキーワードの各々とが何れも異なる場合に、前記広告主の広告を封筒に印刷し、
前記キーワード判断部による次回以降のキーワードの判断順序として、前記広告主に対応する複数のキーワードのうち、前記宛先と同一であると前記キーワード判断部により判断されたキーワードを、他のキーワードと比較して先に判断させる設定を行う判断順序設定部を更に備える
請求項１記載の印刷装置。
【請求項５】
前記封筒に印刷する宛先の名称を入力する宛先入力部と、
前記宛先入力部が入力した名称の宛先に対応するキーワードが前記キーワード格納部に格納されていない場合に、前記宛先に対応するキーワードを利用者から入力するキーワード入力部と
を更に備え、
前記キーワード判断部は、前記キーワード格納部において前記広告主に対応するキーワードと、前記キーワード入力部が入力した前記キーワードとが一致するか否かを判断し、
前記印刷部は、前記広告主に対応するキーワードと、前記キーワード入力部が入力した前記キーワードとが一致しない場合に、前記広告主の広告を封筒に印刷する
請求項１記載の印刷装置。
【請求項６】
前記キーワード入力部が入力した前記キーワードを、前記宛先に対応付けて前記キーワード格納部に格納させるキーワード登録部を更に備える
請求項５記載の印刷装置。
【請求項７】
前記封筒に印刷する宛先の名称を入力する宛先入力部と、
前記宛先入力部が入力した名称の宛先の事業体に対応するキーワードが前記キーワード格納部に格納されていない場合に、前記キーワード格納部がキーワードを格納している複数の事業体の中から、前記宛先に関連する事業体を利用者の指示に基づいて選択する事業体選択部を更に備え、
前記キーワード判断部は、前記キーワード格納部において、前記事業体選択部により選択された事業体に対応するキーワードが、前記広告主に対応するキーワードと一致するか否かを判断し、
前記印刷部は、前記キーワード格納部において、前記事業体選択部により選択された事業体に対応するキーワードが、前記広告主に対応するキーワードと一致しない場合に、前記広告主の広告を封筒に印刷する
請求項１記載の印刷装置。
【請求項８】
前記キーワード格納部において前記事業体選択部が選択した事業体に対応するキーワードを、前記宛先の事業主に対応付けて前記キーワード格納部に格納させるキーワード登録部を更に備える
請求項７記載の印刷装置。
【請求項９】
封筒に事業体の広告を印刷する印刷装置を制御するプログラムであって、
前記印刷装置を、
複数の事業体の各々に対応付けて、当該事業体によって提供され得る広告の内容を示すキーワードを格納しているキーワード格納部と、
前記キーワード格納部において、前記広告の広告主として指定された事業体に対応するキーワードと、前記封筒に印刷する宛先として指定された事業体に対応するキーワードとが一致するか否かを判断するキーワード判断部と、
前記キーワード格納部において、前記広告主に対応するキーワードと、前記宛先に対応するキーワードとが一致しない場合に、当該広告主の広告を封筒に印刷する印刷部と
して機能させるプログラム。
【請求項１０】
封筒に事業体の広告を印刷装置により印刷する印刷方法であって、
前記印刷装置は、複数の事業体の各々に対応付けて、当該事業体によって提供され得る広告の内容を示すキーワードを格納しているキーワード格納部を有し、
前記キーワード格納部において、前記広告の広告主として指定された事業体に対応するキーワードと、前記封筒に印刷する宛先として指定された事業体に対応するキーワードとが一致するか否かを判断するキーワード判断段階と、
前記キーワード格納部において、前記広告主に対応するキーワードと、前記宛先に対応するキーワードとが一致しない場合に、当該広告主の広告を封筒に印刷する印刷段階と
を備える印刷方法。
【請求項１１】
印刷装置と情報処理装置とを備え、封筒に事業体の広告を印刷する印刷システムであって、
前記情報処理装置は、
複数の事業体の各々に対応付けて、当該事業体によって提供され得る広告の内容を示すキーワードを格納しているキーワード格納部と、
前記キーワード格納部において、前記広告の広告主として指定された事業体に対応するキーワードと、前記封筒に印刷する宛先として指定された事業体に対応するキーワードとが一致するか否かを判断するキーワード判断部と
を有し、
前記印刷装置は、前記キーワード格納部において、前記広告主に対応するキーワードと、前記宛先に対応するキーワードとが一致しない場合に、当該広告主の広告を封筒に印刷する印刷部
を有する印刷システム。
【発明の詳細な説明】
【技術分野】
【０００１】
本発明は、印刷装置、プログラム、印刷方法、及び印刷システムに関する。特に、本発明は封筒に広告を印刷する印刷装置、プログラム、印刷方法、及び印刷システムに関する。
【背景技術】
【０００２】
従来、商品等の販売促進活動の一環として、企業等が社用で発送する封筒に商品等の広告を印刷することが行われている。封筒の外観は封筒の受取人の目に付き易く、また、差出人は、その差出人との関係が強い取引先にのみ封筒を送付することが多い。このため、封筒の余白部分は、不特定多数に対する宣伝広告媒体であるマス・メディアと対比して、特定の顧客に対して効果的な宣伝が行える広告媒体として注目される。
現時点で先行公知文献の存在を確認していないので、その記載を省略する。
【発明の開示】
【発明が解決しようとする課題】
【０００３】
しかしながら、ある企業を宛先として送付する封筒に、その企業と競合関係にある他の企業の広告を印刷してしまうのは、好ましくない。例えば、そのような広告を印刷しても、当該他の企業の商品等の販売促進は図れない。更に、差出人が当該他の企業を支援する関係にあるように宛先の企業に誤解させ、宛先の企業に対する差出人の印象を悪化させてしまう場合がある。
【０００４】
このため、広告主と宛先とが競合関係にあるか否かを判断した上で広告印刷の可否を判断する必要がある。しかしながら、競合関係の有無を判断するには、各企業の事業領域を適切に把握する必要があり、容易ではない。特に、多角経営を行う大企業の場合は、その事業領域を把握するのは非常に困難である。
【０００５】
そこで本発明は、上記の課題を解決することのできる印刷装置、プログラム、印刷方法、及び印刷システムを提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態においては、封筒に事業体の広告を印刷する印刷装置であって、複数の事業体の各々に対応付けて、当該事業体によって提供され得る広告の内容を示すキーワードを格納しているキーワード格納部と、キーワード格納部において、広告の広告主として指定された事業体に対応するキーワードと、封筒に印刷する宛先として指定された事業体に対応するキーワードとが一致するか否かを判断するキーワード判断部と、キーワード格納部において、広告主に対応するキーワードと、宛先に対応するキーワードとが一致しない場合に、当該広告主の広告を封筒に印刷する印刷部とを備える印刷装置を提供する。
これにより、宛先の事業体と競合関係にある事業体の広告を、封筒に印刷することを防止できる。
【０００７】
また、封筒に印刷する宛先の名称を入力する宛先入力部と、宛先入力部が入力した名称に、法人を示すキーワードが含まれるか否かを判断する宛先判断部とを更に備え、キーワード判断部は、宛先入力部が入力した名称に法人を示すキーワードが含まれていない場合には、広告主に対応するキーワードと、宛先に対応するキーワードとが一致するか否かを判断せず、印刷部は、宛先入力部が入力した名称に法人を示すキーワードが含まれていない場合に、広告主の広告を封筒に印刷してもよい。
これにより、法人の競合関係を考慮する必要のない個人宛の場合には、広告主の要求に沿って効果的な広告を印刷することができる。
【０００８】
また、キーワード判断部は、複数の広告主の各々について、当該広告主に対応付けられたキーワードと、宛先に対応するキーワードとが一致するか否かを、複数の広告主の間で定められた順序に従って順次判断し、印刷部は、キーワードが宛先に一致しないとキーワード判断部により最初に判断された広告主の広告を、封筒に印刷してもよい。
これにより、広告が全く印刷されないといったことを防ぐことができ、また、広告主により指定された優先順位に従い適切な広告を選択することができる。
【０００９】
また、キーワード格納部は、複数の事業体の各々に対応付けて、複数のキーワードを格納し、キーワード判断部は、広告主に対応する複数のキーワードの各々と、宛先に対応する複数のキーワードの各々とを順次比較し、少なくとも何れか１つのキーワードが同一であるか、又は、何れのキーワードも異なるかを判断し、印刷部は、広告主に対応する複数のキーワードの各々と、宛先に対応する複数のキーワードの各々とが何れも異なる場合に、広告主の広告を封筒に印刷し、キーワード判断部による次回以降のキーワードの判断順序として、広告主に対応する複数のキーワードのうち、宛先と同一であるとキーワード判断部により判断されたキーワードを、他のキーワードと比較して先に判断させる設定を行う判断順序設定部を更に備えてもよい。
これにより、他の事業体と競合し易いキーワードを優先して判断できるので、次回以降の判断を迅速化できる。
【００１０】
また、封筒に印刷する宛先の名称を入力する宛先入力部と、宛先入力部が入力した名称の宛先に対応するキーワードがキーワード格納部に格納されていない場合に、宛先に対応するキーワードを利用者から入力するキーワード入力部とを更に備え、キーワード判断部は、キーワード格納部において広告主に対応するキーワードと、キーワード入力部が入力したキーワードとが一致するか否かを判断し、印刷部は、広告主に対応するキーワードと、キーワード入力部が入力したキーワードとが一致しない場合に、広告主の広告を封筒に印刷してもよい。
これにより、予めキーワードを格納している事業体以外が宛先として指定された場合であっても、広告印刷の可否を適切に判断できる。
【００１１】
また、キーワード入力部が入力したキーワードを、宛先に対応付けてキーワード格納部に格納させるキーワード登録部を更に備えてもよい。これにより、再度同一の宛先が指定された場合には、利用者に追加操作を要求することなく適切な広告を選択できる。
【００１２】
また、封筒に印刷する宛先の名称を入力する宛先入力部と、宛先入力部が入力した名称の宛先の事業体に対応するキーワードがキーワード格納部に格納されていない場合に、キーワード格納部がキーワードを格納している複数の事業体の中から、宛先に関連する事業体を利用者の指示に基づいて選択する事業体選択部を更に備え、キーワード判断部は、キーワード格納部において、事業体選択部により選択された事業体に対応するキーワードが、広告主に対応するキーワードと一致するか否かを判断し、印刷部は、キーワード格納部において、事業体選択部により選択された事業体に対応するキーワードが、広告主に対応するキーワードと一致しない場合に、広告主の広告を封筒に印刷してもよい。
これにより、予めキーワードを格納している事業体以外が宛先として指定された場合であっても、広告印刷の可否を適切に判断できる。
【００１３】
また、キーワード格納部において事業体選択部が選択した事業体に対応するキーワードを、宛先の事業主に対応付けてキーワード格納部に格納させるキーワード登録部を更に備えてもよい。これにより、再度同一の宛先が指定された場合には、利用者に追加操作を要求することなく適切な広告を選択できる。
【００１４】
また、本発明の第２の形態においては、封筒に事業体の広告を印刷する印刷装置を制御するプログラムであって、印刷装置を、複数の事業体の各々に対応付けて、当該事業体によって提供され得る広告の内容を示すキーワードを格納しているキーワード格納部と、キーワード格納部において、広告の広告主として指定された事業体に対応するキーワードと、封筒に印刷する宛先として指定された事業体に対応するキーワードとが一致するか否かを判断するキーワード判断部と、キーワード格納部において、広告主に対応するキーワードと、宛先に対応するキーワードとが一致しない場合に、当該広告主の広告を封筒に印刷する印刷部として機能させるプログラムを提供する。
【００１５】
また、本発明の第３の形態においては、封筒に事業体の広告を印刷装置により印刷する印刷方法であって、印刷装置は、複数の事業体の各々に対応付けて、当該事業体によって提供され得る広告の内容を示すキーワードを格納しているキーワード格納部を有し、キーワード格納部において、広告の広告主として指定された事業体に対応するキーワードと、封筒に印刷する宛先として指定された事業体に対応するキーワードとが一致するか否かを判断するキーワード判断段階と、キーワード格納部において、広告主に対応するキーワードと、宛先に対応するキーワードとが一致しない場合に、当該広告主の広告を封筒に印刷する印刷段階とを備える印刷方法を提供する。
【００１６】
また、本発明の第４の形態においては、印刷装置と情報処理装置とを備え、封筒に事業体の広告を印刷する印刷システムであって、情報処理装置は、複数の事業体の各々に対応付けて、当該事業体によって提供され得る広告の内容を示すキーワードを格納しているキーワード格納部と、キーワード格納部において、広告の広告主として指定された事業体に対応するキーワードと、封筒に印刷する宛先として指定された事業体に対応するキーワードとが一致するか否かを判断するキーワード判断部とを有し、印刷装置は、キーワード格納部において、広告主に対応するキーワードと、宛先に対応するキーワードとが一致しない場合に、当該広告主の広告を封筒に印刷する印刷部
を有する印刷システムを提供する。
なお、上記の発明の概要は、本発明の必要な特徴の全てを列挙したものではなく、これらの特徴群のサブコンビネーションもまた、発明となりうる。
【発明の効果】
【００１７】
本発明によれば、宛先に応じて効果的な広告を印刷することができる。
【発明を実施するための最良の形態】
【００１８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１９】
図１は、本実施例に係る印刷システム１０の概略を示す。印刷システム１０は、印刷装置１と、本発明に係る情報処理装置の一例であるコンピュータ３とを備える。印刷装置１は、コンピュータ３からの入力に基づいて、封筒２に宛先住所、宛名、および事業体（例えば企業）の広告を印刷する。この際、印刷装置１は、印刷する広告を宛先に基づいて決定し、宛先企業に送信する封筒２にその競合企業の広告が印刷されないように制御することを目的とする。
【００２０】
図２は、本実施例に係る印刷装置１の概略を示す。印刷装置１は、宛先入力部２００と、宛先判断部２１０と、キーワード格納部２２０と、キーワード判断部２３０と、判断順序設定部２４０と、キーワード入力部２５０と、キーワード登録部２６０と、事業体選択部２７０と、広告データベース２８０と、印刷部２９０とを有する。宛先入力部２００は、封筒２に印刷する宛先の名称を入力する。宛先判断部２１０は、宛先入力部２００が入力した名称に、法人を示すキーワードが含まれているか否かを判断する。キーワード格納部２２０は、複数の事業体の各々に対応付けて、その事業体によって提供され得る広告の内容を示す複数のキーワードと、その事業体が広告主の候補か否かを示す広告主指示情報とを格納する。
【００２１】
キーワード判断部２３０は、宛先入力部２００が入力した名称に法人を示すキーワードが含まれていない場合には、封筒２に広告を印刷すべきか否かを判断しない。即ちキーワード判断部２３０は、キーワード格納部２２０において、封筒２に印刷する広告の広告主の候補として指定された事業体に対応するキーワードと、封筒２の宛先に対応するキーワードとが一致するか否かを判断しない。
【００２２】
一方、キーワード判断部２３０は、宛先入力部２００が入力した名称に法人を示すキーワードが含まれている場合には、封筒２に広告を印刷すべきか否かを判断する。即ちキーワード判断部２３０は、封筒２に印刷する広告の広告主の候補として指定された事業体に対応するキーワードと、封筒２の宛先に対応するキーワードとが一致するか否かを判断する。
【００２３】
例えば、キーワード判断部２３０は、キーワード格納部２２０内に格納された広告主指示情報に基づいて、広告主の候補となる事業体を選択する。次に、キーワード判断部２３０は、選択したその事業体に対応する全てのキーワードを選択する。次に、キーワード判断部２３０は、封筒２の宛先の事業体に対応する全てのキーワードをキーワード格納部２２０から選択する。そして、キーワード判断部２３０は、広告主に対応する複数のキーワードの各々と、宛先に対応する複数のキーワードの各々とを順次比較し、少なくとも何れか１つのキーワードが同一である場合には、キーワードが一致すると判断する。一方、キーワード判断部２３０は、何れのキーワードも異なる場合には、キーワードが一致しないと判断する。
【００２４】
なお、キーワード判断部２３０は、宛先に対応するキーワードがキーワード格納部２２０に格納されていない場合には、その旨を示す未格納通知をキーワード入力部２５０又は事業体選択部２７０に送る。その場合、キーワード判断部２３０は、キーワード入力部２５０が入力したキーワードを宛先に対応するキーワードとして判断してもよい。或いは、キーワード判断部２３０は、事業体選択部２７０により選択された事業体に対応するキーワードをキーワード格納部２２０から取得し、取得したそのキーワードを、宛先に対応するキーワードと判断してもよい。
【００２５】
判断順序設定部２４０は、キーワード判断部２３０による今回の判断結果に基づいて、キーワード判断部２３０による次回以降のキーワードの判断順序を設定する。例えば、判断順序設定部２４０は、広告主に対応する複数のキーワードのうち、宛先と同一であるとキーワード判断部２３０により今回判断されたキーワードを、他のキーワードと比較して先に判断させる設定を行ってもよい。処理の具体例としては、キーワード判断部２３０がキーワード格納部２２０におけるキーワードの格納順に判断を行うという前提の下、判断順序設定部２４０は、キーワード格納部２２０におけるキーワードの格納順序を入れ換えてもよい。これにより、他の事業体と競合し易いキーワードを優先して判断できるので、判断を迅速化できる。
【００２６】
キーワード入力部２５０は、キーワード判断部２３０から未格納通知を受けた場合に、宛先に対応するキーワードを利用者のコンピュータ３から入力する。同様に、事業体選択部２７０は、キーワード判断部２３０から未格納通知を受けた場合に、キーワード格納部２２０がキーワードを格納している複数の事業体の中から、宛先に関連する事業体を利用者の指示に基づいて選択する。
【００２７】
キーワード登録部２６０は、キーワード入力部２５０が入力したキーワードを、宛先に対応付けてキーワード格納部２２０に格納させる。また、キーワード登録部２６０は、キーワード格納部２２０において事業体選択部２７０が選択した事業体に対応するキーワードを、宛先に対応付けてキーワード格納部２２０に格納させる。これにより、再度同一の宛先が指定された場合には、利用者に追加操作を要求することなく適切な広告を選択できる。
【００２８】
広告データベース２８０は、複数の広告主の各々に対応付けて、その広告主の広告として印刷すべき画像又は文字等のデータを格納している。そして、印刷部２９０は、キーワード格納部２２０において、広告主に対応するキーワードと、宛先に対応するキーワードとが一致しない場合に、その広告主に対応する広告のデータを広告データベース２８０から選択して封筒２に印刷する。より具体的には、印刷部２９０は、広告主に対応する複数のキーワードの各々と、宛先に対応する複数のキーワードの各々とが何れも異なる場合に、広告主の広告を封筒２に印刷する。これにより、宛先企業と競合する事業領域を有する他の企業の広告を印刷の対象から除外できる。
【００２９】
また、印刷部２９０は、宛先入力部２００が入力した名称に法人を示すキーワードが含まれていない場合にも、広告主の広告を封筒２に印刷する。これにより、企業の競合関係を考慮する必要のない個人宛の場合には、広告主の要求に沿って効果的な広告を印刷することができる。
【００３０】
以上、図２を用いて印刷装置１の構成例を説明したが、本実施例に係る印刷システム１０における印刷装置１の構成は、本図の形態に限定されるものではない。例えば、印刷装置１に代えてコンピュータ３が、宛先入力部２００と、宛先判断部２１０と、キーワード格納部２２０と、キーワード判断部２３０と、判断順序設定部２４０と、キーワード入力部２５０と、キーワード登録部２６０と、事業体選択部２７０と、広告データベース２８０とを有していてもよい。この場合、印刷装置１は、印刷部２９０のみを有してもよい。このような構成においては、コンピュータ３にインストールされたプログラムにより本例の機能が実現されるので、従来公知の印刷装置を印刷装置１として転用することができる。
【００３１】
図３は、本実施例に係る印刷装置１により印刷された封筒２の一例を示す。印刷装置１は、封筒２の表面に宛先を印刷すると共に、その余白に広告を示す広告画像を印刷する。そして、この広告画像は、印刷装置１の制御により宛先企業と競合しない企業の広告となる。これにより、広告による販売促進効果が望める場合にのみ広告を印刷して印刷コストを削減でき、また、宛先企業及び差出人の関係悪化を防ぐことができる。
【００３２】
図４は、本実施例に係るキーワード格納部２２０のデータ構造の一例を示す。キーワード格納部２２０は、複数の事業体の各々に対応付けて、その事業体によって提供され得る広告の内容を示す複数のキーワードと、その事業体が広告主の候補か否かを示す広告主指示情報とを格納する。一例として、キーワード格納部２２０は、ＡＡ株式会社に対応付けて、そのＡＡ株式会社によって提供され得る広告の内容を示すキーワードである「プリンタ」、「印刷」、及び「画像」を格納している。
【００３３】
ここで、ある事業体によって提供され得る広告の内容を示すキーワードとは、その事業体により製造・販売等される商品の普通名称のみならず、当該商品の種類、当該商品の製造技術が属する技術分野、当該商品について使用される商標、又は当該商品の広告に含まれるキャッチ・コピー等を含む。
【００３４】
更に、キーワード格納部２２０は、ＡＡ株式会社に対応付けて、ＡＡ株式会社が広告主の候補であって、かつ複数の広告主の間で定められた優先順序が１位である旨を示す広告主指示情報を格納している。これに対して、キーワード格納部２２０は、（株）ＡＢＣに対応付けて、（株）ＡＢＣが広告主の候補でない旨を示す「−」を格納している。また、キーワード格納部２２０は、株式会社ＢＢに対応付けて、株式会社ＢＢが広告主の候補であって、かつその優先順序が２位である旨を示す広告主指示情報を格納している。
【００３５】
ここで、キーワード判断部２３０は、複数の広告主の各々について、その広告主に対応付けられたキーワードと、宛先に対応するキーワードとが一致するか否かを、広告主指示情報によって示される優先順序に従って順次判断する。即ち本図の例によると、キーワード判断部２３０は、まず、ＡＡ株式会社に対応するキーワードと、宛先に対応するキーワードとが一致するか否かを判断する。キーワードが一致する場合には、キーワード判断部２３０は、次に、株式会社ＢＢに対応するキーワードと、宛先に対応するキーワードとが一致するか否かを判断する。
【００３６】
以上の処理を優先順序に従って繰り返すことにより、キーワード判断部２３０は、キーワードが宛先のものと一致しないと最初に判断した広告主の広告を選択し、印刷部２９０は、その広告を封筒２に印刷する。このように、キーワード格納部２２０において複数の広告主が指定されているので、印刷すべき広告が見つからないことをできるだけ防ぎ、かつ、広告主により指定された優先順位に従い適切な広告を選択することができる。
【００３７】
図５は、本実施例に係る印刷装置１による印刷処理の処理フローを示す。宛先入力部２００は、封筒２に印刷する宛先の名称を入力する（Ｓ５００）。例えば、宛先入力部２００は、利用者によるキーボード操作により宛先の名称を入力してもよいし、複数の宛先を予め記録したデータベースから宛先を１つずつ入力してもよい。
【００３８】
宛先判断部２１０は、宛先入力部２００が入力した名称に、法人を示すキーワードが含まれているか否かを判断する（Ｓ５１０）。キーワード判断部２３０は、宛先入力部２００が入力した名称に法人を示すキーワードが含まれている場合には（Ｓ５１０：ＹＥＳ）、封筒２に広告を印刷すべきか否かを判断する（Ｓ５２０）。印刷部２９０は、判断結果に応じて広告を印刷する（Ｓ５３０）。
【００３９】
一方、キーワード判断部２３０は、宛先入力部２００が入力した名称に法人を示すキーワードが含まれていない場合には（Ｓ５１０：ＮＯ）、封筒２に広告を印刷すべきか否かを判断しない。即ちこの場合、印刷部２９０は、優先順序が最初の広告主の広告を封筒２に印刷する（Ｓ５３０）。
【００４０】
図６は、図５のＳ５２０における処理の詳細を示す。キーワード判断部２３０は、宛先に対応するキーワードがキーワード格納部２２０に格納されているか否かを判断する（Ｓ６１０）。宛先に対応するキーワードがキーワード格納部２２０に格納されていない場合には（Ｓ６１０：ＮＯ）、キーワード入力部２５０は、宛先に対応するキーワードを利用者から入力する（Ｓ６３０）。そして、キーワード登録部２６０は、キーワード入力部２５０が入力したキーワードを、宛先に対応付けてキーワード格納部２２０に格納させる（Ｓ６４０）。
【００４１】
一方、宛先に対応するキーワードがキーワード格納部２２０に格納されている場合には（Ｓ６１０：ＹＥＳ）、キーワード判断部２３０は、宛先に対応するキーワードをキーワード格納部２２０から取得する（Ｓ６２０）。そして、キーワード判断部２３０は、既に判断を終えた広告主を除外して最も優先順序が最初の広告主を選択する（Ｓ６４５）。そして、キーワード判断部２３０は、広告主に対応するキーワードと、宛先に対応するキーワードとが一致するか否かを判断する（Ｓ６５０）。キーワードが一致しない場合に（Ｓ６５０：ＮＯ）、キーワード判断部２３０は、その広告主の広告を印刷すると判断する。
【００４２】
一方、キーワードが一致した場合に（Ｓ６５０：ＹＥＳ）、判断順序設定部２４０は、キーワード判断部２３０による今回の判断結果に基づいて、キーワード判断部２３０による次回以降のキーワードの判断順序を設定する（Ｓ６７０）。例えば、判断順序設定部２４０は、広告主に対応する複数のキーワードのうち、宛先と同一であるとキーワード判断部２３０により今回判断されたキーワードを、他のキーワードよりも先に判断されるように並び替えてもよい。
【００４３】
全ての広告主について判断した場合には（Ｓ６８０：ＹＥＳ）、印刷装置１は、本図の処理を終了し、何れの広告も印刷しない。一方、判断対象としていない広告主が残っている場合には（Ｓ６８０：ＮＯ）、印刷装置１は、Ｓ６４５に処理を戻す。
【００４４】
図７は、本実施例に変形例に係るＳ５２０における処理の詳細を示す。本変形例においては、指定された宛先に対応するキーワードがキーワード格納部２２０に格納されていない場合の処理が図６と異なる。具体的には、事業体選択部２７０は、宛先に対応するキーワードがキーワード格納部２２０に格納されていない場合に（Ｓ６１０：ＮＯ）、キーワード格納部２２０がキーワードを格納している複数の事業体の中から、宛先に関連する事業体を利用者の指示に基づいて選択する（Ｓ６３０）。
【００４５】
具体的には、事業体選択部２７０は、キーワード格納部２２０に格納されている事業体のリストを利用者に表示する。そして、事業体選択部２７０は、利用者の指示に基づき、表示されたリストの中から、宛先に関連する事業体を選択する。これにより、類似する事業体が既にキーワード格納部２２０に登録されていれば、キーワードに相当する文字列入力を不要とし、利用者の負担を軽減することができる。
【００４６】
図８は、コンピュータ３のハードウェア構成の一例を示す。コンピュータ３は、ホストコントローラ１０８２により相互に接続されるＣＰＵ１０００、ＲＡＭ１０２０、及びグラフィックコントローラ１０７５を有するＣＰＵ周辺部と、入出力コントローラ１０８４によりホストコントローラ１０８２に接続される通信インターフェイス１０３０、ハードディスクドライブ１０４０、及びＣＤ−ＲＯＭドライブ１０６０を有する入出力部と、入出力コントローラ１０８４に接続されるＲＯＭ１０１０、フレキシブルディスクドライブ１０５０、及び入出力チップ１０７０を有するレガシー入出力部とを備える。
【００４７】
ホストコントローラ１０８２は、ＲＡＭ１０２０と、高い転送レートでＲＡＭ１０２０をアクセスするＣＰＵ１０００及びグラフィックコントローラ１０７５とを接続する。ＣＰＵ１０００は、ＲＯＭ１０１０及びＲＡＭ１０２０に格納されたプログラムに基づいて動作し、各部の制御を行う。グラフィックコントローラ１０７５は、ＣＰＵ１０００等がＲＡＭ１０２０内に設けたフレームバッファ上に生成する画像データを取得し、表示装置１０８０上に表示させる。これに代えて、グラフィックコントローラ１０７５は、ＣＰＵ１０００等が生成する画像データを格納するフレームバッファを、内部に含んでもよい。
【００４８】
入出力コントローラ１０８４は、ホストコントローラ１０８２と、比較的高速な入出力装置である通信インターフェイス１０３０、ハードディスクドライブ１０４０、及びＣＤ−ＲＯＭドライブ１０６０を接続する。通信インターフェイス１０３０は、ネットワークを介して外部の装置と通信する。ハードディスクドライブ１０４０は、コンピュータ３が使用するプログラム及びデータを格納する。ＣＤ−ＲＯＭドライブ１０６０は、ＣＤ−ＲＯＭ１０９５からプログラム又はデータを読み取り、ＲＡＭ１０２０を介して入出力チップ１０７０に提供する。
【００４９】
また、入出力コントローラ１０８４には、ＲＯＭ１０１０と、フレキシブルディスクドライブ１０５０や入出力チップ１０７０等の比較的低速な入出力装置とが接続される。ＲＯＭ１０１０は、コンピュータ３の起動時にＣＰＵ１０００が実行するブートプログラムや、コンピュータ３のハードウェアに依存するプログラム等を格納する。フレキシブルディスクドライブ１０５０は、フレキシブルディスク１０９０からプログラム又はデータを読み取り、ＲＡＭ１０２０を介して入出力チップ１０７０に提供する。入出力チップ１０７０は、フレキシブルディスク１０９０や、例えばパラレルポート、シリアルポート、キーボードポート、マウスポート等を介して各種の入出力装置を接続する。
【００５０】
コンピュータ３に提供されるプログラムは、フレキシブルディスク１０９０、ＣＤ−ＲＯＭ１０９５、又はＩＣカード等の記録媒体に格納されて利用者によって提供される。プログラムは、入出力チップ１０７０及び/又は入出力コントローラ１０８４を介して、記録媒体から読み出され印刷装置１にインストールされて実行される。プログラムが印刷装置１等に働きかけて行わせる動作は、図１から図７において説明した印刷装置１における動作と同一であるから、説明を省略する。
【００５１】
以上に示したプログラムは、外部の記憶媒体に格納されてもよい。記憶媒体としては、フレキシブルディスク１０９０、ＣＤ−ＲＯＭ１０９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムをコンピュータ３に提供してもよい。
【００５２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５３】
【図１】本実施例に係る印刷システム１０の概略を示す。
【図２】本実施例に係る印刷装置１の概略を示す。
【図３】本実施例に係る印刷装置１により印刷された封筒２の一例を示す。
【図４】本実施例に係るキーワード格納部２２０のデータ構造の一例を示す。
【図５】本実施例に係る印刷装置１による印刷処理の処理フローを示す。
【図６】図５のＳ５２０における処理の詳細を示す。
【図７】本実施例に変形例に係るＳ５２０における処理の詳細を示す。
【図８】コンピュータ３のハードウェア構成の一例を示す。
【符号の説明】
【００５４】
１  印刷装置
２  封筒
３  コンピュータ
１０  印刷システム
２００  宛先入力部
２１０  宛先判断部
２２０  キーワード格納部
２３０  キーワード判断部
２４０  判断順序設定部
２５０  キーワード入力部
２６０  キーワード登録部
２７０  事業体選択部
２８０  広告データベース
２９０  印刷部
【図１】
2006159577.tif 000003
【図２】
2006159577.tif 000004
【図３】
2006159577.tif 000005
【図４】
2006159577.tif 000006
【図５】
2006159577.tif 000007
【図６】
2006159577.tif 000008
【図７】
2006159577.tif 000009
【図８】
2006159577.tif 000010